(57)【要約】【課題】被験者の現在の自律神経バランスを評価して、自律神経バランスを安定させるために被験者に与える非可聴音を制御することができる自律神経調整システムを提供する。【解決手段】制御装置１は、被験者の生体情報（例えば脳波）を取得するセンサ部１１と、センサ部１１により取得された生体情報に基づいて被験者の自律神経バランスを評価する自律神経バランス評価機能部１４と、その評価結果に基づいて自律神経バランスを安定させるように音響機器２の出力を制御する制御信号を生成する音響機器制御機能部１５と、制御信号を音響機器２に送信する無線通信部１３とを備える。音響機器２は、制御装置１から送信された制御信号を受信する無線通信部２１と、音出力部２２と、無線通信部２１の受信した制御信号に基づいて音出力部２２を制御することによって、音出力部２２から可聴音と共に出力される非可聴音を変化させる演算処理部２０とを備える。【選択図】図１
2009142468.tif 000002
【特許請求の範囲】
【請求項１】
被験者の生体情報を取得する生体情報取得手段と、生体情報取得手段により取得された生体情報に基づいて被験者の自律神経バランスを評価する評価手段と、可聴域よりも高周波の非可聴音を含んだ音を出力する音出力手段と、評価手段の評価結果に基づいて自律神経バランスを安定させるように音出力手段の出力を制御する制御手段とを備えたことを特徴とする自律神経調整システム。
【請求項２】
生体情報取得手段が、前記生体情報として被験者の脳波を測定する測定手段からなることを特徴とする請求項１記載の自律神経調整システム。
【請求項３】
生体情報取得手段が、前記生体情報として被験者の皮膚の微弱振動を測定する測定手段からなることを特徴とする請求項１記載の自律神経調整システム。
【請求項４】
生体情報取得手段が、前記生体情報として被験者の血管内の血流を測定する測定手段からなることを特徴とする請求項１記載の自律神経調整システム。
【発明の詳細な説明】
【技術分野】
【０００１】
本発明は、自律神経調整システムに関するものである。
【背景技術】
【０００２】
近年、社会環境や生活環境の急激な変化などによって、人間には精神的あるいは肉体的な多くのストレスが加わっている。人間の様々な身体機能は、自律神経系を構成する交感神経と副交感神経とが拮抗することによって支配されているが、ストレスによって緊張状態が続くと、交感神経が刺激されて交感神経が有意に働く状態となり、その結果、交感神経と副交感神経とのバランスが崩れて、身体機能に変調を来す虞があった。
【０００３】
このように自律神経バランスが崩れた場合は、身体の緊張状態を解きほぐし、副交感神経を高めることで、自律神経バランスを整えれば良く、様々な方法が提案されている。例えば特許文献１に示されるバランス回復方法では、自律神経バランスの回復効果を有する芳香成分をシャンプー、ボディソープ、台所用洗剤のような基材に混合することで、これらの基材から自律神経バランスの回復効果を有する芳香成分を放出させ、自律神経バランスの回復を図っていた。
【特許文献１】特開２００３−１６０７９１号公報
【発明の開示】
【発明が解決しようとする課題】
【０００４】
上述した自律神経バランスの回復方法では、自律神経バランスの回復効果を有する芳香剤を基材に混合させているだけであり、被験者の現在の自律神経バランスを評価し、その評価結果に基づいて自律神経バランスを回復させるような手段を備えたシステムは従来提供されていなかった。
【０００５】
本発明は上記問題点に鑑みて為されたものであり、その目的とするところは、被験者の現在の自律神経バランスを評価して、自律神経バランスを安定させるために被験者に与える非可聴音を制御することができる自律神経調整システムを提供することにある。
【課題を解決するための手段】
【０００６】
ところで、図４は人間に暗騒音、非可聴音を含まない音（ＨＣＳ）、非可聴音（超音波）を多く含む音（ＦＲＳ）をそれぞれ聴かせた場合のα波活性度を示しており、本発明者らは、非可聴音を含まない音（ＨＣＳ）を聴いている場合に比べて、非可聴音（超音波）を多く含む音（ＦＲＳ）を聴いている場合の方がα波が増加して、緊張状態が緩和されることに着目し、非可聴音を含む音を出力することで、被験者の自律神経バランスを改善する自律神経調整システムを発明した。
【０００７】
すなわち請求項１の発明は、被験者の生体情報を取得する生体情報取得手段と、生体情報取得手段により取得された生体情報に基づいて被験者の自律神経バランスを評価する評価手段と、可聴域よりも高周波の非可聴音を含んだ音を出力する音出力手段と、評価手段の評価結果に基づいて自律神経バランスを安定させるように音出力手段の出力を制御する制御手段とを備えたことを特徴とする。
【０００８】
請求項２の発明は、請求項１の発明において、生体情報取得手段が、生体情報として被験者の脳波を測定する測定手段からなることを特徴とする。
【０００９】
請求項３の発明は、請求項１の発明において、生体情報取得手段が、生体情報として被験者の皮膚の微弱振動を測定する測定手段からなることを特徴とする。
【００１０】
請求項４の発明は、請求項１の発明において、生体情報取得手段が、生体情報として被験者の血管内の血流を測定する測定手段からなることを特徴とする。
【発明の効果】
【００１１】
請求項１の発明によれば、評価手段が、生体情報取得手段によって取得された情報に基づいて自律神経バランスを評価し、その評価結果に基づいて制御手段が音出力手段から非可聴音を含む音を出力させており、被験者の自律神経バランスに合わせた非可聴音を出力することによって、被験者の自律神経バランスの改善を図ることができる。
【００１２】
請求項２の発明は生体情報として被験者の脳波を、請求項３の発明は生体情報として被験者の皮膚の微弱振動を、請求項４の発明は生体情報として被験者の血管内の血流をそれぞれ測定しており、これらの生体情報をもとに被験者の自律神経バランスを評価することができる。
【発明を実施するための最良の形態】
【００１３】
以下に本発明の実施の形態を図１〜図３に基づいて説明する。
【００１４】
図１は本発明に係る自律神経調整システムの概略的なシステム構成図であり、本システムは制御装置１と音響機器２とを主要な構成として備えている。
【００１５】
音響機器２は、マイクロコンピュータからなり各部の全般的な制御を行う演算処理部２０と、赤外線通信やブルートゥースなどの通信方式により近距離の無線通信を行う無線通信部２１と、可聴音とともに人間の可聴域よりも高周波の非可聴音を出力する音出力部２２（音出力手段）とを備えている。そして、無線通信部２１が制御装置１から無線信号で送信された制御信号を受信すると、この制御信号に基づいて演算処理部２０が音出力部２２から出力させる非可聴音の周波数や音圧を調整するようになっている。
【００１６】
一方、制御装置１は、マイクロコンピュータからなる演算処理部１０と、被験者の生体情報を取得するセンサ部１１（生体情報取得手段）と、ＲＯＭやＲＡＭなどからなりセンサ部１１の測定データなどを記憶する記憶部１２と、赤外線通信やブルートゥースなどの通信方式により近距離の無線通信を行う無線通信部１３とを備えている。
【００１７】
また演算処理部１０は、センサ部１１により取得された生体情報に基づいて被験者の自律神経バランスを評価する自律神経バランス評価機能部１４（評価手段）と、自律神経バランス評価機能部１４の評価結果に基づいて自律神経バランスを安定させるように、音響機器２の出力を制御する音響機器制御機能部１５（制御手段）とを備えている。これら自律神経バランス評価機能部１４および音響機器制御機能部１５は、演算処理部１０が自律神経バランスの調整用プログラムを実行することによって実現されている。
【００１８】
センサ部１１により取得される生体情報としては種々のものがあるが、本実施形態では生体情報として脳波を測定する脳波センサを用いている。
【００１９】
センサ部１１は、図２に示すように被験者Ａの耳に引っ掛けることによって頭部に装着される耳掛け式のフレーム３２を備え、本体部３２の頭部側の表面であって、耳付近の皮膚と接触する部位には脳波検出用の電極３３が取り付けられている。センサ部１１では、電極３３を介して取り込まれた微弱電流をもとに脳波を検出しており、検出結果を演算処理部１０に出力する。
【００２０】
なおセンサ部１１以外の他の回路要素を収納した器体３０は、例えばベルト３１を用いて被験者Ａの胴体に装着されており、センサ部１１と器体３０内に収納された回路要素との間では有線又は無線によって信号の授受が行われている。
【００２１】
この自律神経調整システムでは、制御装置１のセンサ部１１が生体情報として脳波を検出すると、自律神経バランス評価機能部１４がセンサ部１１による脳波の検出結果をもとに、α波の出現度合いから被験者Ａの自律神経バランスを評価しており、α波の出現度合いが所定の基準値以上の場合は自律神経バランスが良好と判定し、α波の出現度合いが基準値よりも少ない場合は自律神経バランスが悪いと判定する。
【００２２】
そして、制御装置１の音響機器制御機能部１５が、自律神経バランス評価機能部１４の評価結果に基づいて、自律神経バランスが改善されるように、音響機器２から出力させる非可聴音の周波数あるいは音圧の何れか一方を変化させるための制御信号を、無線通信部１３から音響機器２へ送信させる。
【００２３】
このとき音響機器２では、無線通信部１３から送信された制御信号を無線通信部２１が受信し、この制御信号に基づいて演算処理部２０が音出力部２２を制御し、可聴音に重畳して出力させる非可聴音の周波数あるいは音圧の何れか一方を変化させており、被験者の自律神経バランスに応じた非可聴音を可聴音とともに被験者に聴かせることで、自律神経バランスの回復を図っている。
【００２４】
このように本実施形態の自律神経調整システムでは、制御装置１の自律神経バランス評価機能部１４が、センサ部１１によって取得された情報に基づいて自律神経バランスを評価し、その評価結果に基づいて音響機器制御機能部１５が音響機器２から可聴音とともに出力される非可聴音の出力を制御しており、被験者の自律神経バランスに合わせた非可聴音を出力することによって、被験者の自律神経バランスを確実に回復させることができる。
【００２５】
なお本実施形態では、制御装置１の音響機器制御機能部１５が、自律神経バランスの評価結果に基づいて、音響機器２から出力させる非可聴音の周波数または音圧の何れか一方を変化させているが、非可聴音の周波数と音圧を両方共に変化させても良く、被験者の自律神経バランスが回復するように非可聴音を変化させてやれば良い。
【００２６】
また音響機器２から非可聴音を出力する際に、被験者の好みに合わせた音楽と一緒に非可聴音を出力するようにしても良く、被験者の緊張状態を解きほぐす効果をより一層高めることができる。
【００２７】
また本実施形態では生体情報として脳波を測定する場合について説明したが、センサ部１１により測定される生体情報を脳波に限定する趣旨のものではなく、例えば被験者Ａの体表、特に緊張状態によって微弱振動（マイクロバイブレーション）が現れやすい部位に装着される加速度センサを備え、当該加速度センサによって被験者Ａの皮膚の微弱振動を生体情報として検出するセンサ部を用い、被験者Ａの皮膚の微弱振動に基づいて自律神経バランス評価機能部１４が被験者Ａの自律神経バランスを評価しても良い。
【００２８】
またセンサ部１１により、生体情報として被験者の血管内の血流や脈拍を測定することも好ましい。図３は血流や脈拍を検出するセンサ部１１の一例を示しており、手４０の指４１に装着される指サック３４を備え、指サック３４における人体との接触部位に発光素子と受光素子とを配置してある。センサ部１１では、発光素子から被験者Ａの指に照射された光を受光素子で受光しており、血管の容積変化に応じて発生する光吸収量の変化に基づいて血流を計測し、その検出結果を演算処理部１０に出力する。そして、自律神経バランス評価機能部１４では、センサ部１１により測定された血流、または、血流の時間的な変化から求めた脈拍に基づいて被験者Ａの自律神経バランスを評価する。なおセンサ部１１が被験者の指の血流を測定する代わりに、被験者の手首に装着されるリストバンド３４に発光素子と受光素子とを組み込み、手首の血管の血流を測定するようにしても良い。また血流の測定方法としては、発光素子と受光素子とを用いた測定方法に限定されるものではなく、例えば掌の温度から血流状態を測定するようにしても良い。
【００２９】
また本実施形態では、制御装置１が被験者の自律神経バランスを評価した結果に基づいて音響機器２の出力を制御しているが、被験者に作用して被験者の自律神経バランスを改善させる機能を有した対処機器を制御することも考えられる。このような対処機器としては、例えば被験者の肩や腰などを指圧したり揉みほぐすことによって被験者の緊張状態を緩和するマッサージ機や、例えば被験者の足の指先に取り付けられ、足指に微振動を加えることによって抹消関節を揺らしてマッサージを行うマッサージ機や、椅子全体を揺らすことによって被験者の全身に揺らぎを与えたり、被験者の下半身が乗っている部分のみを横方向に揺らすことで、被験者の下半身に揺らぎを与えるリクライニングチェアのような回復関連機器を用いても良いし、例えば乗馬を模した運動をユーザに行わせる乗馬型の他動運動機器のように、被験者に運動を行わせることで健康増進を図る運動関連機器を用いても良い。
【図面の簡単な説明】
【００３０】
【図１】本実施形態の自律神経調整システムの概略的なシステム構成図である。
【図２】同上に用いるセンサ部の一例を示す説明図である。
【図３】同上に用いるセンサ部の他の例を示す説明図である。
【図４】人に聴かせる音とα波の関係を説明する説明図である。
【符号の説明】
【００３１】
１  制御装置
２  音響機器
１１  センサ部（生体情報取得手段）
１３  無線通信部
１４  自律神経バランス評価機能部（評価手段）
１５  音響機器制御機能部（制御手段）
２０  演算処理部
２１  無線通信部
２２  音出力部（音出力手段）
【図１】
2009142468.tif 000003
【図２】
2009142468.tif 000004
【図３】
2009142468.tif 000005
【図４】
2009142468.tif 000006